(57)【特許請求の範囲】
【請求項１】
閉じた状態で中央引戸と、中央引戸の一方の側方に配置される一方引戸と、中央引戸の他方の側方に配置される他方引戸とからなる３枚引戸と、３枚引戸を誘導する誘導機構とからなり、上記誘導機構は、３枚の引戸を走行自在にガイドする上レールに、上レールの長手方向と直交する前後方向に並んで、一方引戸と他方引戸の各上端部にそれぞれ設けた左右２個の上ランナーを走行自在にガイドする共用レール部と、中央引戸の上端部に設けた左右２個の上ランナーを走行自在にガイドする中央引戸用レール部とが設けられ、上記共用レール部は、上レールの長手方向と平行に延びた前側直進レール部と、前側直進レール部の長手方向の両端側から後方に延びた左右２個の外側曲進レール部と、前側直進レール部の長手方向の両端側よりも内側に寄った２箇所からそれぞれ分岐して後方に延びた左右２個の内側曲進レール部とを備え、上記中央引戸用レール部は、上記前側直進レール部と平行な後側直進レール部と、後側直進レール部における上記左右２個の内側曲進レール部と対向する位置よりもそれぞれ内側に寄った２箇所から前側に向って半円形状に湾曲した左右２個の湾曲レール部とを備え、閉状態では、一方引戸の各上ランナー及び他方引戸の各上ランナーのうち一方の組のランナーがそれぞれ左側に位置する外側曲進レール部と内側曲進レール部にそれぞれ入り込むと共に、他方の組のランナーがそれぞれ右側に位置する外側曲進レール部と内側曲進レール部にそれぞれ入り込み、且つ中央引戸の各上ランナーが左右２個の湾曲レール部の各前端部にそれぞれ入り込むことで、各引戸が上レールの長手方向と平行に段差無く一列になるように並置され、開状態では、上レールの右端又は左端のいずれかにおいて３枚の引戸が前後に重ねて並置されるように誘導する引戸装置であって、上記引戸の閉状態で対向する突き合わせ面間を遮蔽するための遮蔽部を備え、該遮蔽部は、対向する一方の突き合わせ面の前端側から他方の突き合わせ面の前端側に向かって延出した前側延出部と、他方の突き合わせ面の後端側から一方の突き合わせ面の後端側に向かって延出した後側延出部とからなり、引戸の開閉時に誘導機構による前側延出部と後側延出部の移動軌跡同士が干渉せず且つ引戸の閉状態で前側延出部と後側延出部とが前後方向にオーバーラップするように構成し、上記引戸の閉状態において前後方向にオーバーラップする前側延出部と後側延出部との対向面間に中間スペースが形成され、前側延出部の先端面とこれに対向する他方の突き合わせ面の前端側との間に前側スペースが形成され、後側延出部の先端面とこれに対向する一方の突き合わせ面の後端側との間に後側スペースが形成され、中間スペースに対して前側スペースと後側スペースとが左右方向にずれて配置されると共に、上記前側延出部又は後側延出部のいずれか一方の先端側から中間スペースを遮蔽する方向に隙間隠し用凸部を突設したことを特徴とする引戸装置。
【請求項２】
上記前側延出部の後面コーナー部に後側延出部の移動軌跡と略平行に湾曲した湾曲面が形成されていることを特徴とする請求項１記載の引戸装置。
【請求項３】
上記後側延出部の前面コーナー部に、後側延出部の後端角部の移動軌跡よりも後方に傾斜した傾斜面が形成されていることを特徴とする請求項１記載の引戸装置。
【請求項４】
上記前側延出部又は後側延出部のいずれか他方の先端側に上記隙間隠し用凸部を逃がすための逃がし凹所を凹設したことを特徴とする請求項１記載の引戸装置。
【発明の詳細な説明】
【技術分野】
【０００１】
本発明は、閉じた状態で各引戸が段差無く一列に面一となる引戸装置に関し、詳しくは、閉状態において各引戸の対向する突き合わせ面間の隙間を隠すための技術に関するものである。
【背景技術】
【０００２】
従来から、３枚引戸の場合、各引戸が各々平行に直進移動して閉状態と右開き状態又は左開き状態となる引き違い式の引戸装置が知られている。
【０００３】
ところが、上記の従来例では、閉状態では手前側から後方にかけて各引戸が段差状となるため、外観上の見栄えが悪いだけでなく、各引戸ごとに上レールの長手方向と直交する前後方向に３本のレール部を並設する必要があり、このため上レールの全体の見込み寸法（奥行き）を大きくとる必要が生じるなど、施工自由度が小さいという制約もあった。
【０００４】
また、親引戸の表面側に子引戸を開閉方向に移動自在に取付け、親引戸の裏面側に別の子引戸を開閉方向に移動自在に取付け、一方の子引戸を親引戸の表面側に、他方の子引戸を親引戸の裏面側に重ねることで開いた時に大きく開口させることができるようにした引戸装置が特許文献１に示してある。
【０００５】
この特許文献１に示された従来例のものは２枚引戸であり、レールも２枚引戸に対応した前後２列のレールが必要であり、この２枚引戸、前後２列のレールという関係をそのまま３枚引戸には適用できない。
【０００６】
また従来からは、閉じた状態で３枚引戸を段差無く面一となるように並置するようにした引戸装置は存在していない。また閉じた状態で３枚引戸を段差無く面一となるように並置する引戸装置においては、３枚引戸の突き合わせ面間の隙間から内部が見えてしまうという問題が生じ得る。つまり、３枚引戸の開閉をスムーズに行なうためには引戸の閉状態で突き合わせ面間に所定の隙間を確保しておく必要があり、この隙間によって閉状態にある３枚引戸の外観性が損なわれるという問題が生じ得る。
【特許文献１】特開平１１−２２９７０３号公報
【発明の開示】
【発明が解決しようとする課題】
【０００７】
本発明は上記の従来の問題点に鑑みて発明したものであって、閉状態では面一となり且つ開状態では前後に並ぶように誘導される３枚引戸を実現し、且つこの３枚引戸の閉状態での外観性と開閉時の操作性の両方を向上させることができる引戸装置を提供することを課題とするものである。
【課題を解決するための手段】
【０００８】
上記課題を解決するために本発明は、閉じた状態で中央引戸１ｃと、中央引戸１ｃの一方の側方に配置される一方引戸１ａと、中央引戸１ｃの他方の側方に配置される他方引戸１ｂとからなる３枚引戸１と、３枚引戸１を誘導する誘導機構１９とからなり、上記誘導機構１９は、３枚の引戸を走行自在にガイドする上レール５に、上レール５の長手方向と直交する前後方向に並んで、一方引戸１ａと他方引戸１ｂの各上端部にそれぞれ設けた左右２個の上ランナー２１、２２を走行自在にガイドする共用レール部７と、中央引戸１ｃの上端部に設けた左右２個の上ランナー２３を走行自在にガイドする中央引戸用レール部８とが設けられ、上記共用レール部７は、上レール５の長手方向と平行に延びた前側直進レール部９と、前側直進レール部９の長手方向の両端側から後方に延びた左右２個の外側曲進レール部１１と、前側直進レール部９の長手方向の両端側よりも内側に寄った２箇所からそれぞれ分岐して後方に延びた左右２個の内側曲進レール部１２とを備え、上記中央引戸用レール部８は、上記前側直進レール部９と平行な後側直進レール部１０と、後側直進レール部１０における上記左右２個の内側曲進レール部１２と対向する位置よりもそれぞれ内側に寄った２箇所から前側に向って半円形状に湾曲した左右２個の湾曲レール部１３とを備え、閉状態では、一方引戸１ａの各上ランナー及び他方引戸１ｂの各上ランナー２１、２２のうち一方の組のランナーがそれぞれ左側に位置する外側曲進レール部１１と内側曲進レール部１２にそれぞれ入り込むと共に、他方の組のランナーがそれぞれ右側に位置する外側曲進レール部１１と内側曲進レール部１２にそれぞれ入り込み、且つ中央引戸１ｃの各上ランナー２３が左右２個の湾曲レール部１３の各前端部にそれぞれ入り込むことで、各引戸１が上レール５の長手方向Ｍと平行に段差無く一列になるように並置され、開状態では、上レール５の右端又は左端のいずれかにおいて３枚の引戸１が前後に重ねて並置されるように誘導する引戸装置であって、上記引戸１の閉状態で対向する突き合わせ面８０間を遮蔽するための遮蔽部８１を備え、該遮蔽部８１は、対向する一方の突き合わせ面８０の前端８０ａ側から他方の突き合わせ面８０の前端８０ａ側に向かって延出した前側延出部８１Ａと、他方の突き合わせ面８０の後端８０ｂ側から一方の突き合わせ面８０の後端８０ｂ側に向かって延出した後側延出部８１Ｂとからなり、引戸１の開閉時に誘導機構１９による前側延出部８１Ａと後側延出部８１Ｂの移動軌跡Ｘ，Ｙ同士が干渉せず且つ引戸１の閉状態で前側延出部８１Ａと後側延出部８１Ｂとが前後方向Ａ，Ｂにオーバーラップするように構成し、上記引戸１の閉状態において前後方向Ａ，Ｂにオーバーラップする前側延出部８１Ａと後側延出部８１Ｂとの対向面間に中間スペース８２ａが形成され、前側延出部８１Ａの先端面とこれに対向する他方の突き合わせ面８０の前端８０ａ側との間に前側スペース８２ｂが形成され、後側延出部８１Ｂの先端面とこれに対向する一方の突き合わせ面８０の後端８０ｂ側との間に後側スペース８２ｃが形成され、中間スペース８２ａに対して前側スペース８２ｂと後側スペース８２ｃとが左右方向にずれて配置されると共に、上記前側延出部８１Ａ又は後側延出部８１Ｂのいずれか一方の先端側から中間スペース８２ａを遮蔽する方向に隙間隠し用凸部８８を突設したことを特徴としている。
【０００９】
このような構成とすることで、誘導機構１９によって３枚の引戸１が閉じた状態で一列に面一となるように配置されるので、３枚の引戸１を閉じた状態で隣接する引戸１間に段差が生じることがなくて、一連の連続した壁面としての外観を呈することができる。また引戸１の閉状態で遮蔽部８１を構成する前側延出部８１Ａと後側延出部８１Ｂとが前後方向Ａ，Ｂにオーバーラップすることで引戸１の突き合わせ面８０間を視覚的に遮蔽できるようになる。さらに、引戸１の開閉時には前側延出部８１Ａと後側延出部８１Ｂの誘導機構１９による移動軌跡Ｘ，Ｙ同士が干渉しないようにしたので、引戸１が前後移動して開閉する時に前側延出部８１Ａと後側延出部８１Ｂとの衝突を防止できるようになる。
また、上記引戸１の閉状態において前後方向Ａ，Ｂにオーバーラップする前側延出部８１Ａと後側延出部８１Ｂとの対向面間に中間スペース８２ａが形成され、前側延出部８１Ａの先端面とこれに対向する他方の突き合わせ面８０の前端８０ａ側との間に前側スペース８２ｂが形成され、後側延出部８１Ｂの先端面とこれに対向する一方の突き合わせ面８０の後端８０ｂ側との間に後側スペース８２ｃが形成され、中間スペース８２ａに対して前側スペース８２ｂと後側スペース８２ｃとが左右方向にずれて配置されるので、引戸１の閉状態で中間スペース８２ａと前側スペース８２ｂと後側スペース８２ｃとが左右方向にずれることで、どの方向からも突き合わせ面８０間の隙間から内部がみえなくなり、遮蔽効果が高められる。
また、上記前側延出部８１Ａ又は後側延出部８１Ｂのいずれか一方の先端側から中間スペース８２ａを遮蔽する方向に隙間隠し用凸部８８を突設したので、前側延出部８１Ａと後側延出部８１Ｂ間に形成される中間スペース８２ａを大きくした場合であっても、隙間隠し用凸部８８により遮蔽効果を高めることができる。
【００１０】
また、上記前側延出部８１Ａの後面コーナー部に後側延出部８１Ｂの移動軌跡Ｙと略平行に湾曲した湾曲面８６が形成されているのが好ましく、この場合、前側延出部８１Ａの後面コーナー部に設けた湾曲面８６を後側延出部８１Ｂの移動軌跡Ｙ１と略平行に湾曲させたことによって、前側延出部８１Ａと後側延出部８１Ｂとを双方の移動軌跡Ｘ，Ｙが干渉しない範囲で極力接近させることができ、遮蔽効果をより高めることができる。
また、上記後側延出部８１Ｂの前面コーナー部に、後側延出部８１Ｂの後端角部８５ｂの移動軌跡Ｙ２よりも後方Ｂに傾斜した傾斜面８７が形成されているのが好ましい。
【００１２】
また、上記前側延出部８１Ａ又は後側延出部８１Ｂのいずれか他方の先端側に上記隙間隠し用凸部８８を逃がすための逃がし凹所８９を凹設するのが好ましく、この場合、隙間隠し用凸部８８を逃がし凹所８９に逃がすことで、隙間隠し用凸部８８を前側延出部８１Ａ（又は後側延出部８１Ｂ）にできる限り接近させて配置できるので、隙間隠し用凸部８８と前側延出部８１Ａ（又は後側延出部８１Ｂ）との干渉を防止しながら遮蔽効果を一層高めることができる。
【発明の効果】
【００１４】
本発明は、閉じた状態で一列に面一となるように配置されまた、開いた状態で３枚の引戸を前後に重ねた状態にできる３枚引戸を実現できるものであり、さらにこの３枚引戸の閉状態では遮蔽部を構成する前側延出部と後側延出部とが前後方向にオーバーラップすることにより、引戸の突き合わせ面間を視覚的に遮蔽して内部が見えないようにでき、外観性を高めることができると共に、引戸の開閉時に前側延出部と後側延出部の移動軌跡同士が干渉しないようにしたことにより、外観性に加えて操作性にも優れた引戸装置を提供できるものである。
【発明を実施するための最良の形態】
【００１５】
以下、本発明を添付図面に示す実施形態に基いて説明する。
【００１６】
本発明の引戸装置は、図２乃至図７に示すように３枚の引戸１を有し、閉じた状態で中央引戸１ｃと、中央引戸１ｃの一方の側方に配置される一方引戸１ａと、中央引戸１ｃの他方の側方に配置される他方引戸１ｂとで構成され、図２（ａ）、図３（ａ）、図４に示すように閉じた状態で上記３枚の引戸１が一列に並ぶだけでなく３枚全体が段差なく面一となるように配置されるようになっていて、例えばクローゼットの扉として用いた場合、３枚の引戸１が段差無く面一に連続した一連の壁としての外観を呈することができるようになっており、見栄えが良好となる。
【００１７】
なお、以下の説明では、面一となるように３枚の引戸１を閉じた場合、図３に示すように正面（室内）から見て右側に位置する方の引戸１を一方引戸１ａ、左側に位置する引戸１を他方引戸１ｂと定義して説明する。以下の説明で左側とは全閉状態で正面から見て一方引戸１ａが位置する方、右側とは全閉状態で他方引戸１ｂが位置する方を指す。なお、図２は上レール５部分を下方から見た下面図であるので、図３に示す平面図とは室内か見て左右が逆となるように作図している。また、図４は収納空間から見た斜視図であり、したがって、面一となるように３枚の引戸１を閉じた場合、作図上一方引戸１ａが左側、他方引戸１ｂが右側に位置するように作図している。同様に、図５乃至図７においても正面から見た場合と左右が逆に作図している。
【００１８】
上記３枚の引戸１は、他方引戸１ｂ側から一方引戸１ａ側に移動して開く際には該他方引戸１ｂを一方引戸１ａの前方Ａ（室内側）に誘導し且つ中央引戸１ｃを一方引戸１ａの後方Ｂ（収納空間側）に誘導し、且つ、一方引戸１ａ側から他方引戸１ｂ側に移動して開く際には該一方引戸１ａを他方引戸１ｂの前方Ａ（室内側）に誘導し且つ中央引戸１ｃを他方引戸１ｂの後方Ｂ（収納空間側）に誘導するための誘導機構１９と、他方引戸１ｂ側の操作力を中央引戸１ｃに伝達して中央引戸１ｃを他方引戸１ｂに追従して開閉させ，且つ、一方引戸１ａ側の操作力を中央引戸１ｃに伝達して中央引戸１ｃを一方引戸１ａに追従して開閉させるための連動機構１５とを備えている。
【００１９】
先ず、誘導機構１９について説明する。
【００２０】
誘導機構１９は、引戸１の上部に各々取り付けられる上ランナー２１〜２３と、引戸１の下部に各々取り付けられる下ローラー２７と、上記上ランナー２１〜２３、下ローラー２７を走行自在にガイドする戸枠４に設けた上下レール５、６とで構成してある。
【００２１】
戸枠４は３枚の引戸１を開閉自在に取付けるための開口部に取付けられる矩形状の枠体であり、上下レール５、６と左右縦枠４ａとで構成してある。図４乃至図７には上レール５を省略した状態が示してあり、図２、図８乃至図１１はそれぞれ上レール５を下から見た下面図、下から見た斜視図、下から見た分解斜視図等が示してある。
【００２２】
上ランナー２１〜２３は図１２乃至図１５に示すようにそれぞれ引戸１の後面の上端部の左右方向の両端部に逆Ｌ字状をした逆Ｌ型金具２８を介して取付けてあり、上ランナー２１〜２３は引戸１の上端部の後方に位置しており、上ランナー２１〜２３を後述の上レール５に走行自在に取付けた場合、上ランナー２１〜２３による上レール５の走行支持部分よりも前方にずれて引戸１が吊り下げされることになる。
【００２３】
上レール５は、図８乃至図１１に示すように、躯体に固定される上レール本体５０と、上レールカバー５１（実施形態では上レールカバー５１は長手方向の左右及び中間部に配置されて上レール本体５０にネジ固定される主上レールカバー５１ａと、左右の主上レールカバー５１ａの外側端部に配置されて主上レールカバー５１ａにネジ固定され、また、隣合う主上レールカバー５１ａ間に配置されて主上レールカバー５１ａ又は後述の上レール本体５０に固定される分岐部材１８にネジ固定される板状をした副上レールカバー５１ｂとで構成してある。
【００２４】
上レール本体５０に上レールカバー５１を取付けて構成した上レール５には、図１０（ａ）、図１１（ｂ）に示すように、上レール５の長手方向Ｍと直交する前後方向Ａ，Ｂに並んで、溝状の共用レール部７と溝状の中央引戸用レール部８とが並設されている。共用レール部７は、一方及び他方引戸１ａ、１ｂ（すなわち正面から見て右側の引戸１ａ、左側の引戸１ｂ）の各上端部の両端２箇所に設けた左右２個の上ランナー２１、２２をそれぞれ走行自在にガイドするものであり、中央引戸用レール部８は中央引戸１ｃの上端部に設けた左右２個の上ランナー２３を走行自在にガイドするものである。
【００２５】
上記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。上記左右２個の外側曲進レール部１１と左右２個の内側曲進レール部１２の各先端部に前側直進レール部９と平行な端部直線レール部１４を連出してある。
【００２６】
これら２本のレール部（共用レール部７、中央引戸用レール部８）で３枚引戸１をガイドすることで、上レール５全体の見込み寸法Ｋ（図１８）を小さくすることが可能となり、例えばクローゼットの扉として用いた場合は収納量アップを図ることができると共に、仮りにクローゼット内で荷崩れが発生した場合でも、例えば、一方引戸１ａは閉状態から他方引戸１ｂ側に移動させることで、外側曲進レール部１１、内側曲進レール部１２に沿って前方に移動して前側直進レール部９に沿って開方向（他方引戸１ｂ側）に移動して開くことが可能となる。
【００２７】
また、上記中央引戸用レール部８は、前側直進レール部９に平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。
【００２８】
上記共用レール部７に設けた左右２個の外側曲進レール部１１の後端部に連出した端部直線レール部１４と、左右２個の内側曲進レール部１２の後端部に連出した端部直線レール部１４と、中央引戸用レール部８における左右２個の湾曲レール部１３の前端部とは、前側直進レール部９、後側直進レール部１０と平行な仮想直線上に位置している。また、左側の外側曲進レール部１１の後端部に連出した端部直線レール部１４の先端部と左側の内側曲進レール部１２の後端部に連出した端部直線レール部１４の先端部との間の距離は左側の引戸１（つまり他方引戸１ｂ）の左右の上ランナー２２間の距離に等しく、また、右側の外側曲進レール部１１の後端部に連出した端部直線レール部１４と右側の内側曲進レール部１２の後端部に連出した端部直線レール部１４の先端部との間の距離は右側の引戸１（つまり一方引戸１ａ）の左右の上ランナー２１間の距離に等しく、更に、左右の湾曲レール部１３の前端部間の距離は中央引戸１ｃの左右の上ランナー２３間の距離に等しく設定してある。
【００２９】
ここで、閉状態では、図２（ａ）に示す他方引戸１ｂの各上ランナー２２が左側に位置する外側曲進レール部１１と内側曲進レール部１２の各後端部から連出した端部直線レール部１４にそれぞれ入り込み、中央引戸１ｃの各上ランナー２３が左右２個の湾曲レール部１３の各前端部にそれぞれ入り込み、且つ一方引戸１ａの各上ランナー２１が右側に位置する外側曲進レール部１１と内側曲進レール部１２の各後端部から連出した端部直線レール部１４にそれぞれ入り込むことで、各引戸１が上レール５の長手方向Ｍと平行な同一平面となるように（つまり、３枚の引戸１が面一に連続するように）並置される。
【００３０】
一方、図１６の左開き状態では、図２（ｃ）のように一方引戸１ａの各上ランナー２１が右側に位置する外側曲進レール部１１と内側曲進レール部１２の各後端部から連出した端部直線レール部１４にそれぞれ入り込み、中央引戸１ｃの左右の上ランナー２３が後側直進レール部１０に移動し（この場合左側の上ランナー２３が後側直進レール部１０の右側の端部に移動する）、且つ他方引戸１ｂの各上ランナー２２が前側直進レール部９の右側にそれぞれ移動することで、手前から順に他方引戸１ｂと一方引戸１ａと中央引戸１ｃとが重ねて並置される。
【００３１】
また、図１７の右開き状態では、他方引戸１ｂの各上ランナー２２が左側に位置する外側曲進レール部１１及び内側曲進レール部１２の各後端部から連出した端部直線レール部１４にそれぞれ入り込み、中央引戸１ｃの左右の上ランナー２３がそれぞれ後側直進レール部１０に移動し（この場合左側の上ランナー２３が後側直進レール部１０の左側の端部に移動する）、且つ一方引戸１ａの各上ランナー２１が前側直進レール部９の左側にそれぞれ移動することで、手前から順に一方引戸１ａと他方引戸１ｂと中央引戸１ｃとが重ねて並置される。
【００３２】
これら左開き状態と右開き状態とは任意に選択できるようになっている。つまり、誘導機構１９は、他方引戸１ｂと中央引戸１ｃと一方引戸１ａとを前後に重ねた状態で、中央引戸１ｃを一方引戸１ａと重ならない位置に移動して一方引戸１ａと面一となるように誘導し、且つ他方引戸１ｂを一方引戸１ａ及び中央引戸１ｃとは重ならない位置に移動して中央引戸１ｃと面一となるように誘導する機能も兼ねている。
【００３３】
一方、各引戸１の上面の左右両側にはそれぞれ上ランナー２１（又は上ランナー２２、又は上ランナー２３）が設けてある。この上ランナー２１〜２３は、図１２乃至図１５に示すように、一対の上ローラー２６を備えたローラーブロック２４と、ローラーブロック２４の上面から上方に突出する複数個の補助ローラー２５ａ（又は補助ローラ２５ｂ）とで構成されている。この補助ローラー２５ａ（又は補助ローラ２５ｂ）は図８、図１０（ｂ）、図１１（ｃ）、図１８に示す分岐部材１８により曲進又は直進のいずれかに案内されるようになっている。
【００３４】
ここで、図１２乃至図１５、図１８に示すように、一方引戸１ａ及び他方引戸１ｂの正面（室内）から見て各右側端部に設けられた上ランナー２１（又は上ランナー２２）の上面の後方側にずれた位置及び前側にずれた位置にそれぞれ高さの低い４個の補助ローラ２５ａ（後方向にずれた位置に進行方向に２個、前方向にずれた位置に進行方向に２個、合計４個）が上方に向けて突設してあり、また、一方引戸１ａ及び他方引戸１ｂの各左側端部に設けられた上ランナー２１（又は上ランナー２２）の上面の前方側にずれた位置に高さの高い２個の補助ローラ２５ｂが上方に向けて突設してあり、また、中央引戸１ｃの右側端部に設けられた上ランナー２３の上面の後方側にずれた位置に高さの高い２個の補助ローラ２５ｂにより構成される２連補助ローラ２５ｂが上方に向けて突設してあり、また、中央引戸１ｃの左側端部に設けられた上ランナー２３の上面の前方側にずれた位置及び後方向がずれた位置に高さの低い４個の補助ローラ２５ａ（後方向にずれた位置に進行方向に２個、前方向にずれた位置に進行方向に２個、合計４個）が上方に向けて突設してある。
【００３５】
分岐部材１８は、上レール本体５０の下面部にネジ固定により取付けられるもので、図８乃至図１１に示す外側曲進レール部１１、内側曲進レール部１２、湾曲レール部１３の各分岐点に設けられた下方に開口した補助レールブロック１８ａ〜１８ｆ（図９に拡大斜視図が示してある）で構成されている。図８乃至図１１において、補助レールブロック１８ａは右側の外側曲進レール部１１に対応した位置に配置してあって上レール本体５０の下面部に取付けてあり、補助レールブロック１８ｂは右側の内側曲進レール部１２に対応した位置に配置してあって上レール本体５０の下面部に取付けてあり、また、補助レールブロック１８ｃは左側の外側曲進レール部１１に対応した位置に配置してあって上レール本体５０の下面部に取付けてあり、補助レールブロック１８ｄは左側の内側曲進レール部１２に対応した位置に配置してあって上レール本体５０の下面部に取付けてあり、また、補助レールブロック１８ｅは右側の湾曲レール部１３に対応した位置に配置してあって上レール本体５０の下面部に取付けてあり、補助レールブロック１８ｆは左側の湾曲レール部１３に対応した位置に配置してあって上レール本体５０の下面部に取付けてある。
【００３６】
上記補助レールブロック１８ａは高さの低い補助ローラ２５ａをガイドするためのもので、図９（ａ）に示すように、右側の外側曲進レール部１１の後側に沿った下方に開口した溝状の曲進ガイドレール部１８ａ１を有している。該曲進ガイドレール部１８ａ１の一端部の開口から一方引戸１ａの右側端部に設けた上ランナー２１の上面に設けた４個の高さの低い補助ローラ２５ａのうち後方向にずれた位置の２個の補助ローラ２５ａが挿入されることで、一方引戸１ａの上ランナー２１を右側の外側曲進レール部１１に沿って導入するようになっている。この場合、上記上ランナー２１の上面に設けた４個の高さの低い補助ローラ２５ａのうち前方向にずれた位置の２個の補助ローラ２５ａは補助レールブロック１８ａの下面部の上記曲進ガイドレール部１８ａ１の下端よりも上方に凹んだ段落ち部１８ａ２の下方を通過するように構成してある。
【００３７】
また、補助レールブロック１８ｂは、高さの低い前後４個の補助ローラ２５ａが直進するようにガイドすると共に高さの高い２個の補助ローラ２５ｂが曲進するようにガイドするためのもので、図９（ｂ）に示すように、下方に開口した溝状の前後２列の直線ガイドレール部１８ｂ１、１８ｂ２と、下方に開口した溝状の曲進ガイドレール部１８ｂ３とが設けてある。前の直線ガイドレール部１８ｂ１の左側半部が曲進ガイドレール部１８ｂ３の左側半部を兼用しており、更に、曲進ガイドレール部１８ｂ３の平面視で傾斜した中間部が後の直線ガイドレール部１８ｂ２を横切っており、曲進ガイドレール部１８ｂ３の中間部及び右側半部が右側の内側曲進レール部１２の前側に沿うように配設してある。
【００３８】
ここで、図９（ｂ）に示すように、直線ガイドレール部１８ｂ１、１８ｂ２と、曲進ガイドレール部１８ｂ３とは下端の位置が同じ高さ位置であるが、曲進ガイドレール部１８ｂ３は高さの高い補助ローラ２５ｂをガイドすることができるように溝深さが深い（上方への凹み深さが深い）ものであり、前の直線ガイドレール部１８ｂ１の左側半部は曲進ガイドレール部１８ｂ３の左側半部を兼用しているので溝深さが深いが右側半部は溝深さが浅い（上方への凹み深さが浅い）ものである。また、後の直線ガイドレール部１８ｂ２は曲進ガイドレール部１８ｂ３の中間部が横切っている部分は溝深さが深く、他の部分は溝深さが浅いものであり、これら溝深さの浅い部分の溝底（上底）は高さの高い補助ローラ２５ｂの上端よりも下位置となるように設定してある。したがって、図２０（ｂ）のように曲進ガイドレール部１８ｂ３の前半部を兼用する前の直線ガイドレール部１８ｂ１の左側半部に入った高さの高い補助ローラ２５ｂは直線ガイドレール部１８ｂ１の右側半部側には移動できず曲進ガイドレール部１８ｂ３の中間部に向かい、更に該中間部を通過する際、後の直線ガイドレール部１８ｂ２側にも移動できず、スムーズに後半部にガイドされる。また、図２０（ａ）に示すように、前の直進ガイドレール部１８ｂ１は一方引戸１ａ及び他方引戸１ｂの各右側端部に取付けた上ランナー２１の上面に設けた４個の高さの低い補助ローラ２５ａのうち前側の２個の高さの低い補助ローラ２５ａが直進するようにガイドするようになっており、後の直進ガイドレール部１８ｂ２は一方引戸１ａ及び他方引戸１ｂの各右側端部に取付けた上ランナー２１の上面に設けた４個の高さの低い補助ローラ２５ａのうち後側の２個の高さの低い補助ローラ２５ａが直進するようにガイドするようになっている。
【００３９】
ところで、一方引戸１ａ、他方引戸１ｂの各右側端部に取付けた上ランナー２１の上面に設けた４個の高さの低い補助ローラ２５ａは前後左右の４個の補助ローラ２５ａが曲進ガイドレール部１８ｂ３を同時に横切らないようになっており、どれかの高さの低い補助ローラ２５ａが曲進ガイドレール部１８ｂ３との交差部分を横切る際に少なくとも前後１個ずつの補助ローラ２５ａが前の直線ガイドレール部１８ｂ１、後の直線ガイドレール部１８ｂ２内に位置していて上記交差部分を通過する際に首振りすることなく直進するように構成してある。
【００４０】
また、補助レールブロック１８ｃは高さの高い補助ローラ２５ｂをガイドするためのもので、図９（ｆ）に示すように、左側の外側曲進レール部１１の前側に沿った下方に開口した溝深さが深い（上方への凹み深さが深い）溝状の曲進ガイドレール部１８ｃ１を有している。該曲進ガイドレール部１８ｃ１の一端部の開口から他方引戸１ｂの左側端部に取付けた上ランナー２２の上面の前側に片寄って設けた２個の高さの高い補助ローラ２５ｂが挿入されることで、他方引戸１ｂの上ランナー２２を左側の外側曲進レール部１１に沿って導入するようになっている。
【００４１】
また、補助レールブロック１８ｄは、高さの高い前側に片寄った２個の補助ローラ２５ｂが直進するようにガイドすると共に高さの低い前後４個の補助ローラ２５ａが曲進するようにガイドするためのもので、図９（ｅ）に示すように、両端部及び下方に開口した溝状の直線ガイドレール部１８ｄ１を前側に設けると共に、一端が開口し且つ下方に開口した溝状の曲進ガイドレール部１８ｄ２を後側に設けてあり、曲進ガイドレール部１８ｄ２は左側の内側曲進レール部１２の後側に沿うように配設してある。
【００４２】
ここで、図９（ｅ）に示すように、曲進ガイドレール部１８ｄ２は直線ガイドレール部１８ｄ１の下端よりも下方に突出して形成してあり、曲進ガイドレール部１８ｄ２の下端は高さの低い補助ローラ２５ａの上端よりも上方に位置している。図２２（ｂ）のように、直線ガイドレール部１８ｄ１には他方引戸１ｂ及び一方引戸１ａの各左側端部に取付けた上ランナー２１、２２の上面の前側に片寄って設けた高さの高い補助ローラ２５ｂが挿入されることになって他方引戸１ｂ及び一方引戸１ａの各左側端部に取付けた上ランナー２１、２２を直線走行させるようにガイドするようになっている。また、図２２（ａ）のように、曲進ガイドレール部１８ｄ２には他方引戸１ｂの右側端部に取付けた上ランナー２２の上面の後側に片寄って設けた２個の高さの低い補助ローラ２５ｂが挿入されることで、他方引戸１ｂの上ランナー２２を左側の内側曲進レール部１２に沿って導入するようになっており、この場合、他方引戸１ｂの右側端部に取付けた上ランナー２２の上面の前側に片寄って設けた２個の高さの低い補助ローラ２５ｂは補助レールブロック１８ｄの下面部の上記曲進ガイドレール部１８ｄ２の下端よりも上方に凹んだ段落ち部１８ｄ３の下方を通過するように構成してある。なお、直線ガイドレール部１８ｄ１の下端は上記段落ち部１８ｄ３の上底に開口しているため高さの低い補助ローラ２５ａが直線ガイドレール部１８ｄ１内に入り込むことはない。
【００４３】
また、補助レールブロック１８ｅは、中央引戸１ｃの右側に取付けた上ランナー２３の上面に設けた高さの低い前後４個の補助ローラ２５ａが直進するようにガイドすると共に左側に取付けた上ランナー２３の上面に設けた高さの高い２個の補助ローラ２５ｂが曲進するようにガイドするためのもので、図９（ｃ）に示すように、両端及び下方に開口した溝状の前後２列の直線ガイドレール部１８ｅ１、１８ｅ２と、円弧状をした両端及び下方に開口した溝状の曲進ガイドレール部１８ｅ３とが設けてある。後の直線ガイドレール部１８ｅ２は左側部、右側部がそれぞれ曲進ガイドレール部１８ｅ３の左側部、右側部を兼用しており、更に、曲進ガイドレール部１８ｅ３の円弧状をした中間部の両端部の平面視で傾斜した部分がそれぞれ前の直線ガイドレール部１８ｅ２を横切っており、曲進ガイドレール部１８ｅ３の中間部が湾曲レール部１３の前側に沿うように配設してある。
【００４４】
ここで、図９（ｃ）のように、直線ガイドレール部１８ｅ１、１８ｅ２と、曲進ガイドレール部１８ｅ３とは下端の位置が同じ高さ位置であるが、曲進ガイドレール部１８ｅ３は高さの高い補助ローラ２５ｂをガイドすることができるように溝深さが深い（上方への凹み深さが深い）ものであり、後の直線ガイドレール部１８ｅ１の右側部及び左側部は曲進ガイドレール部１８ｅ３の右側部及び左側部を兼用しているので溝深さが深いが直線ガイドレール部１８ｅ１の中間部は溝深さが浅い（上方への凹み深さが浅い）ものである。また、前の直線ガイドレール部１８ｅ２は曲進ガイドレール部１８ｅ３の中間部の両端部が横切っている部分は溝深さが深く、他の部分は溝深さが浅いものであり、これら溝深さの浅い部分の溝底（上底）は高さの高い補助ローラ２５ｂの上端よりも下位置となるように設定してある。したがって、図２０（ｄ）のように、曲進ガイドレール部１８ｅ３の前側部及び後側部を兼用する後の直線ガイドレール部１８ｅ１の左側部又は右側部に入った高さの高い補助ローラ２５ｂは直線ガイドレール部１８ｅ１の中間部には移動できず曲進ガイドレール部１８ｅ３の中間部に向かう。この場合、更に該中間部を通過する際、前の直線ガイドレール部１８ｅ２側にも移動できず、スムーズに中間部にガイドされる。また、図２０（ｃ）のように、後の直線ガイドレール部１８ｅ１は中央引戸１ｃの右側端部に取付けた上ランナー２３の上面に設けた４個の高さの低い補助ローラ２５ａのうち後側の２個の高さの低い補助ローラ２５ａが直進するようにガイドするようになっており、前の直線ガイドレール部１８ｅ２は中央引戸１ｃの右側端部に取付けた上ランナー２１の上面に設けた４個の高さの低い補助ローラ２５ａのうち前側の２個の高さの低い補助ローラ２５ａが直進するようにガイドするようになっている。
【００４５】
ところで、中央引戸１ｃの右側端部に取付けた上ランナー２１の上面に設けた４個の高さの低い補助ローラ２５ａは前後左右の４個の補助ローラ２５ａが曲進ガイドレール部１８ｅ３を同時に横切らないようになっており、どれかの高さの低い補助ローラ２５ａが曲進ガイドレール部１８ｅ３との交差部分を横切る際に少なくとも前後１個ずつの補助ローラ２５ａが前の直線ガイドレール部１８ｅ２、後の直線ガイドレール部１８ｅ１内に位置していて上記交差部分を通過する際に首振りすることなく直進するように構成してある。
【００４６】
また、補助レールブロック１８ｆは、中央引戸１ｃの左側に取付けた上ランナー２３の上面に設けた高さの高い後側に片寄った２個の補助ローラ２５ｂが直進するようにガイドすると共に右側に取付けた上ランナー２３の上面に設けた高さの低い前後４個の補助ローラ２５ａが曲進するようにガイドするためのもので、図９（ｄ）に示すように、両端部及び下方に開口した溝状の直線ガイドレール部１８ｆ１を後側に設けると共に、両一端が開口し且つ下方に開口した円弧状をした溝状の曲進ガイドレール部１８ｆ２を前側に設けてあり、直線ガイドレール部１８ｆ１が後側直進レール部１０の後側に沿って配設してあると共に、曲進ガイドレール部１８ｄ２が左側の湾曲レール部１３の前側に沿って配設してある。
【００４７】
ここで、曲進ガイドレール部１８ｆ２は直線ガイドレール部１８ｆ１の下端よりも下方に突出して形成してあり、曲進ガイドレール部１８ｆ２の下端は高さの低い補助ローラ２５ａの上端よりも上方に位置している。図２１（ｄ）に示すように、直線ガイドレール部１８ｆ１には中央引戸１ｃの左側端部に取付けた上ランナー２３の上面の後側に片寄って設けた高さの高い補助ローラ２５ｂが挿入されることになって中央引戸１ｃの右側端部に取付けた上ランナー２３を直線走行させるようにガイドするようになっている。また、図２１（ｃ）に示すように、曲進ガイドレール部１８ｆ２には中央引戸１ｃの右側端部に取付けた上ランナー２２の上面の前側に片寄って設けた２個の高さの低い補助ローラ２５ｂが挿入されることで、中央引戸１ｃの右側に取付けた上ランナー２３を右側の湾曲レール部１３に沿って導入するようになっており、この場合、中央引戸１ｃの右側端部に取付けた上ランナー２２の上面の後側に片寄って設けた２個の高さの低い補助ローラ２５ｂは補助レールブロック１８ｆの下面部の上記曲進ガイドレール部１８ｄ２の下端よりも上方に凹んだ段落ち部１８ｆ３の下方を通過するように構成してある。なお、直線ガイドレール部１８ｆ１の下端は上記段落ち部１８ｆ３の上底に開口しているため高さの低い補助ローラ２５ａが直線ガイドレール部１８ｆ１内に入り込むことはない。
【００４８】
次に連動機構１５を説明する。
【００４９】
本例の一方引戸１ａ、他方引戸１ｂ、中央引戸１ｃは、厚み、幅、高さの寸法が略同じものを用いており、各引戸１ａ〜１ｃは各々木製の引戸本体３０の両側縁に長尺なアルミニウム製の中空筒状の縦縁材３１を取付けて構成してある。縦縁材３１の上端面にはエンドキャップ３３が設けてある。本例の縦縁材３１は後述する前側延出部８１Ａ及び後側延出部８１Ｂとしても機能する。
【００５０】
一方引戸１ａの右側の縦縁材３１、他方引戸１ｂの左側の縦縁材３１は前面中央を後方に凹ませて指掛部３２ｇを形成している。また一方引戸１ａの左側の縦縁材３１、他方引戸１ｂの右側の縦縁材３１は、縦縁材３１の前部に後部よりも外側方に突出した指掛部３２ｇを形成している。また中央引戸１ｃの左右両側の縦縁材３１は外側半部の前面に引戸本体３０の前面よりも後方に凹む凹段部３２ｅを形成してあり、３枚の引戸１ａ〜１ｃを面一に閉じた状態においては、一方引戸１ａ及び他方引戸１ｂの縦縁材３１の指掛部３２ｇが凹段部３２ｅに配されて中央引戸１ｃの縦縁材３１の外側端部の前方に位置して重複するようになっている。そして上記各引戸１ａ〜１ｃの各縦縁材３１は指掛部３２ｇや凹段部３２ｅに手指を掛ける等して引戸１ａ〜１ｃを開閉できるようになっており、把手を兼ねている。
【００５１】
ここで図１１乃至図１４に示すように中央引戸１ｃの左右両端部の夫々の上端面には前後に長い係合溝３３ｃを形成している。また一方引戸１ａの右側端部及び他方引戸１ｂの左側端部（即ち一方引戸１ａ及び他方引戸の夫々の閉じ方向側の端部）の上端からは係合溝３３ｃに係合可能な係合部材３５を後方に向けて突出している。そしてこれら係合溝３３ｃと係合部材３５によって連動機構１５が構成されている。
【００５２】
一方引戸１ａの係合部材３５と他方引戸１ａの係合部材３５は左右対称であり、各係合部材３５は縦片状の引戸取付部３５ａの上端から横片状の横片部３５ｂを後方に突出した断面Ｌ字状の金具からなるアングル３５ｃを備え、横片部３５ｂに係合突部３５ｄを突設して構成してある。アングル３５ｃは引戸取付部７５aを一方引戸１ａ及び他方引戸１ｂの夫々の上端部の後面にねじのような固着具３４ｂで固着することで取付けられている。
【００５３】
アングル３５ｃを一方引戸１ａ及び他方引戸１ｂに取付けるにあたって、一方引戸１ａの右側端部の上端部の後面及び他方引戸１ｂの左側端部の上端部の後面には凹部３２ｆを形成している。各凹部３２ｆは縦縁材３１の上端部の後面に形成した凹部３２ｆからなる。凹部３２ｆの底面は縦縁材３１の後面よりも引戸取付部３５ａの厚み寸法以上前方に位置している。アングル３５ｃは引戸取付部３５ａを凹部３２ｆの底面に当てた状態で取付けてあり、これによりアングル３５ｃの引戸取付部３５ａは凹部３２ｆ内に完全に収まるように収納されている。
【００５４】
一方引戸１ａのアングル３５ｃの横片部３５ｂの後端部は左側方に突出し、また他方引戸１ｂのアングル３５ｃの横片部３５ｂの後端部は右側方に突出しており、各突出部分には前記係合溝３３ｃに係合しつつ係合溝３３ｃに沿って移動自在となる係合突部３５ｄを下方に向けて突設している。係合突部３５ｄは横片部３５ｂに上下軸回りに回転自在に軸支したローラで構成されている。係合突部３５ｄを構成するローラはゴム等の軟質材料で形成してあり、これにより係合溝３３ｃに係合した連動時の衝撃を緩和でき、またこの連動時の生じる音を小さくできるようにしている。
【００５５】
中央引戸１ｃの右側に形成した一方引戸１ａ用の係合溝３３ｃと左側に形成した他方引戸１ｂ用の係合溝３３ｃは左右対称であり、各係合溝３３ｃは中央引戸１ｃの各縦縁材３１のエンドキャップ３３の上面に形成している。つまり本例ではエンドキャップ３３を前記係合部材３５の係合突部３５ｄが係合する受け部材としている。
【００５６】
各係合溝３３ｃは平面視で略Ｌ字状の溝からなり、左右方向と平行な溝状で一端が外側方（つまり右側の係合溝３３ｃにあっては右側方であり、左側の係合溝３３ｃにあっては左側方）に開口する突部挿入口３３ｄと、突部挿入口３３ｄの他端から前側に伸びるガイド溝部３３ｅとで構成されている。ガイド溝部３３ｅは前後方向と平行な直線状の溝であり、その前後方向の長さは中央引戸１ｃの引戸本体３０の厚み寸法よりも長くなっている。ここで各係合溝３３ｃのガイド溝部３３ｅの内側の側面（つまり右側の係合溝３３ｃにあっては左側の側面であり、左側の係合溝３３ｃにあっては右側の側面）を押側ガイド面３３ｆとし、且つ外側の側面（つまり右側の係合溝３３ｃにあっては右側の側面であり、左側の係合溝３３ｃにあっては左側の側面）を引側ガイド面３３ｇとすると、押側ガイド面３３ｆ及び引側ガイド面３３ｇは共に前後方向と平行な縦面となっている。
【００５７】
次に動作を説明する。
【００５８】
例えば図１２（図２（ａ）、図３（ａ）、図４）に示す３枚の引戸１ａ〜１ｃを面一にして閉じた状態から図１３、図１４、図１５と順に他方引戸１ｂを一方引戸１ａ側に向かって移動して他方引戸１ｂを中央引戸１ｃの前方側に重なるようにすると、他方引戸１ｂの上面の左側端部から後方に突出した位置に設けた係合突部３５ｄが、図２３のように中央引戸１ｃの上面の左側端部に設けた係合溝３３ｃの後端部の中央引戸１ｃから後方に突出した位置にある突部挿入口３３ｄに近接対向し、この状態で更に他方引戸１ｂを移動すると図２４のように他方引戸１ｂと中央引戸１ｃとが概ね重なる段階で係合突部３５ｄが突部挿入口３３ｄから係合溝３３ｃの後端部内に挿入されて係合溝３３ｃの押側ガイド面３３ｆの後端部（突部挿入口３３ｄに対向する部分）に当たって係合し、他方引戸１ｂの係合突部３５ｄで係合溝３３ｃの押側ガイド面３３ｆを押して他方引戸１ｂの移動に連動して中央引戸１ｃを右側に移動させながら係合突部３５ｄが係合溝３３ｃの前端側に移動し、図２５のように他方引戸１ｂと中央引戸１ｃとが前後方向に離反する段階で、係合突部３５ｄは係合溝３３ｃの押側ガイド面３３ｆの前端部に当たって係合した状態で停止する。これにより中央引戸１ｃは前記他方引戸１ｂと中央引戸１ｃとが概ね重なる段階から３枚の引戸１ａ〜１ｃを右側に寄せた全開状態となるまでは他方引戸１ａと連動して一方引戸１ｂ側に移動する。
【００５９】
また逆に図１５に示す３枚の引戸１ａ〜１ｃを右側に寄せた全開状態から図１４、図１３、図１２と順に他方引戸１ｂを閉じる方向に移動する時、他方引戸１ｂの係合突部３５ｄは、中央引戸１ｃが中央の閉じ位置に移動する直前の段階まで図２５のように係合溝３３ｃの引側ガイド面３３ｇの後端部に当たって係合した状態となり、この後、他方引戸１ｂと中央引戸１ｃとが前後方向に接近し始める段階で係合溝３３ｃの引側ガイド面３３ｇに当たって係合しつつ係合溝３３ｃの前端側に移動し、この後、図２４のように中央引戸１ｃが閉じ位置に完全に移動した段階（他方引戸１ｂと中央引戸１ｃの前後方向の接近が終了した段階）で係合溝３３ｃの前端部に至る。これにより中央引戸１ｃは右側に寄せた全開状態からその閉じ位置である中央に移動するまでは他方引戸１ｂと連動する。そしてこの中央引戸１ｃが閉じ位置に完全に移動した段階に達すると、図２３のように係合突部３５ｄは係合溝３３ｃの前端部に至って引側ガイド面３３ｇへの当たりがなくなって係合が解除され、突部挿入口３３ｄから外側方に向かって移動する。これにより他方引戸１ｂは単独で閉位置まで移動することとなる。
【００６０】
上記構成によれば、他方引戸１ｂと中央引戸１ｃとを連動機構１５によって連動できるので、中央引戸１ｃを手で開閉する必要がなくなり、開閉操作がきわめて容易となる。
【００６１】
また図２に示すように、中央引戸１ｃの両端側にそれぞれ係合溝３３ｃを設け、他方引戸１ｂの左端（把手側）、及び、一方引戸１ａの右端（把手側）にそれぞれ係合部材３５を設けたので、左開きと右開きのいずれの場合も連動機構１５が働く構造となる。つまり、３枚の引戸１ａ〜１ｃが一列に段差なく面一に配置された全閉状態で、一方引戸１ａを他方引戸１ｂ側に向けて移動することで、他方引戸１ｂ及び中央引戸１ｃと同様に、連動機構１５により中央引戸１ｃを一方引戸１ａに連動して移動できるようになっている。なおこの３枚の引戸１ａ〜１ｃを面一にして閉じた状態から一方引戸１ａを他方引戸１ｂ側に向かって移動する時、及び３枚の引戸１ａ〜１ｃを左側に寄せた全開状態から一方引戸１ａを閉じる方向に移動する時には一方引戸１ａの係合突部３５ｄが中央引戸１ｃの右側の係合溝３３ｃに係合するものであるが、この時の係合突部３５ｄの係合溝３３ｃへの係合は上記した他方引戸１ｂ及び中央引戸１ｃのそれと同様のものであるので説明を省略する。
【００６２】
なお、各引戸１の下端部の中央の１箇所には下ローラー２７が突設されている。下ローラー２７はＬ形金具（図示せず）を介して引戸１〜３の各下端部の中央位置に取り付けられている。下ローラー２７をガイドする下レール６には、図３乃至図７に示すように、共用レール部１０１の長手方向Ｍの両端側から後方Ｂに向って傾斜した左右の曲進レール部４２，４３がそれぞれ設けられ、曲進レール部４２、４３の端部から共用レール部１０１と平行な下端部直線レール部４５が連設してある。共用レール部１０１と平行で後ろ側に位置する中央引戸用レール部１０２の中央部から前方Ａに向って半円形状に湾曲した１つの湾曲レール部４４が設けられている。
【００６３】
ここで、下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、また、下レール６の湾曲レール部４４の位置は、上レール５の左右の湾曲レール部１３，１３の中間位置に対向している。
【００６４】
そして、各引戸１の上端部は左右２個の上ランナー２１（２２，２３）で吊り下げ支持され、３枚の引戸１が面一となって閉じた状態で、一方引戸１ａの下ローラー２７が右側の曲進レール部４３の後端部に連設した下端部直線レール部４５に位置し、中央の引戸１ｃの下ローラー２７が湾曲レール部４４の前端部に位置し、他方引戸１ｂの下ローラー２７が左側の曲進レール部４２の後端部に連設した下端部直線レール部４５に位置する。図１５（ｃ）の左開きの場合、一方引戸１ａの下ローラー２７が右側の曲進レール部４３の後端部に位置し、他方引戸１ｂの下ローラー２７が共用レール部１０１の直線部分の右端に位置し、中央の引戸１ｃの下ローラー２７が中央引戸用レール部１０２の直線部分の右端に位置する。また、図１６（ｃ）の右開きの場合、他方引戸１ｂの下ローラー２７が左側の曲進レール部４２の後端部に連設した下端部直線レール部４５に位置し、一方引戸１ａの下ローラー２７が共用レール部１０１の直線部分の右端に位置し、中央の引戸１ｃの下ローラー２７が中央引戸用レール部１０２の直線部分の左端に位置する。
【００６５】
上記例において下端部直線レール部４５を設けることで前述の上レールに端部直線レール部１４を設けたのと同じ作用効果を奏し、一方引戸１ａ、他方引戸１ｂが全閉状態でいずれも前後方向において正規の位置になって段差が生じないようにでき、また、開いた状態でも、正常な位置に確実に位置させることができ、全開状態で一方引戸１ａ又は他方引戸１ｂが正規の位置よりも前側にずれていて他方引戸１ｂ又は一方引戸１ａが閉じる際に衝突したり、擦れたりせず、スムーズに正常な位置に確実に位置させて閉じることができる。
【００６６】
このように下端部は１個の下ローラー２７で下レール６にガイドされる結果、各引戸１の走行の安定化を十分に図ることができると共に、１個の下ローラー２７を用いることで、下レール６の溝形状を上レール５の溝形状よりも簡易にでき、下レール６のコスト低減を図ることができる利点もある。
【００６７】
次に、本発明の引戸１の突き合わせ面８０の隙間を遮蔽する構造について説明する。
図１は本発明の基本構成であり、図１（ａ）に示すように、引戸１の突き合わせ面８０が平面視略Ｌ字形の召し合せ框８０Ａと、平面視略逆Ｌ字形の召し合せ框８０Ｂとで構成されている。召し合せ框８０Ａの前端８０ａ側から他方の召し合せ框８０Ｂの前端８０ａ側に向かって前側延出部８１Ａが延出されており、他方の召し合せ框８０Ｂの後端８０ｂ側から一方の召し合せ框８０Ａの後端８０ｂ側に向かって後側延出部８１Ｂが延出されており、これら前側延出部８１Ａと後側延出部８１Ｂとで、引戸１の閉状態において召し合せ框８０Ａ，８０Ｂ間の隙間を遮蔽するための遮蔽部８１が構成される。
【００６８】
ここで、引戸１の閉状態では前側延出部８１Ａと後側延出部８１Ｂとが前後方向Ａ，Ｂにオーバーラップしていると共に、前側延出部８１Ａと後側延出部８１Ｂとの対向面間に中間スペース８２ａが形成され、前側延出部８１Ａの先端面と召し合せ框８０Ｂの前端８０ａ側との間に前側スペース８２ｂが形成され、後側延出部８１Ｂの先端面と召し合せ框８０Ａの後端８０ｂ側との間に後側スペース８２ｃが形成されていると共に、中間スペース８２ａに対して前側スペース８２ｂと後側スペース８２ｃとが左右方向（図１の長手方向Ｍ）にずれた段差状に形成されており、これにより前方Ａ（室内側）から該スペース８２ａ〜８２ｃを介して後方Ｂ（収納庫側）が見えない構造となっている。また本例では、誘導機構１９による前側延出部８１Ａの後端角部８４ｂの移動軌跡Ｘが、後側延出部８１Ｂの先端角部８５ａの移動軌跡Ｙ１よりも前方Ａに位置しており、さらに前側延出部８１Ａの後面コーナー部には後側延出部８１Ｂの先端角部８５ａの移動軌跡Ｙ１と略平行に湾曲した湾曲面８６が形成されており、一方、後側延出部８１Ｂの前面コーナー部には、後側延出部８１Ｂの後端角部８５ｂの移動軌跡Ｙ２よりも後方Ｂに傾斜した傾斜面８７が形成されている。
【００６９】
しかして、引戸１の閉状態で前側延出部８１Ａと後側延出部８１Ｂとが前後方向Ａ，Ｂにオーバーラップし、且つ、中間スペース８２ａに対して後側スペース８２ｃと前側スペース８２ｂとが左右方向（長手方向Ｍ）にずれて位置するので、正面方向からだけでなく斜め方向からも内部が見えないようにでき、遮蔽効果が得られる。そのうえ、前側延出部８１Ａの湾曲面８６が後側延出部８１Ｂの移動軌跡Ｙ１と略平行に湾曲し、後側延出部８１Ｂの傾斜面８７が後側延出部８１Ｂの移動軌跡Ｙ２よりも後方Ｂに傾斜しているので、前側延出部８１Ａと後側延出部８１Ｂの移動軌跡Ｘ，Ｙ１（Ｙ２）が干渉しない範囲で双方を極力接近させることができ、遮蔽効果をより高めることができる。また本例の３枚引戸１を間仕切りに使用した場合は気密性及び遮音性も好適になる利点がある。さらに図１の例では中央引戸１ｃの両端の召し合せ框８０Ｂに設けられる後側延出部８１Ｂの移動軌跡Ｙ１（Ｙ２）が、一方引戸１ａ及び他方引戸１ｂの各召し合せ框８０Ａに設けられる前側延出部８１Ａの移動軌跡Ｘよりも後方Ｂに位置しているため、３枚引戸１の閉状態で一方引戸１ａと他方引戸１ｂを動かさないで中央引戸１ｃだけを前後に移動させて開閉できる利点もある。
【００７０】
図２６は本発明の実施形態の一例である。本例では、前側延出部８１Ａと後側延出部８１Ｂとの対向面間の中間スペース８２ａの前後幅を図１の場合よりも幅広に設定した場合の一例を示している。他の構成は図１の基本構成と同様である。本例のように中間スペース８２ａの前後幅を広げることにより、例えば引戸本体或いは召し合せ框８０Ａ，８０Ｂが反っていたり、変形している場合でも、前側延出部８１Ａと後側延出部８１Ｂの移動軌跡Ｘ，Ｙ１（Ｙ２）同士の干渉を効果的に防止できる利点、及び、現場の建て付け調整（例えば、引戸１の傾き調整等）に対する水平方向の余裕が大きくなり、建て付け調整作業を容易に行なうことができる利点もある。
【００７１】
ところで図２６のように中間スペース８２ａの前後幅を広げると、矢印Ｒで示す斜め方向から内部が見えてしまうことがある。
【００７２】
そこで、これを防止するために、他の実施形態として図２７に示すように、後側延出部８１Ｂの先端側から中間スペース８２ａを遮蔽する方向に向かって隙間隠し用凸部８８を突設するのが望ましい。また本例では、前側延出部８１Ａの先端側に上記隙間隠し用凸部８８を逃がすための逃がし凹所８９を凹設している。この逃がし凹所８９は指掛部３２ｇ（図２３）としても機能する。さらに隙間隠し用凸部８８の移動軌跡Ｙ１と略平行に前側延出部８１Ａの湾曲面８６を湾曲させている。なお、隙間隠し用凸部８８を前側延出部８１Ａの先端側から後方Ｂに突出し、逃がし凹所８９を後側延出部８１Ｂの先端側に設けることも可能である。
【００７３】
しかして、中間スペース８２ａを大きく広げた場合であっても、隙間隠し用凸部８８の存在によりどの方向からも内部が見えないようにできて遮蔽効果を高めることができる。しかも、逃がし凹所８９の存在により、隙間隠し用凸部８８を前側延出部８１Ａにできる限り接近させて配置できるので、隙間隠し用凸部８８と前側延出部８１Ａとの干渉を防止しながら遮蔽効果が一層高められる利点がある。
【００７４】
図２８は更に他の実施形態を示している。本例では、中央引戸１ｃの両端の召し合せ框８０Ｂにそれぞれ設けられる隙間隠し用凸部８８を後側延出部８１Ｂの先端側から前方Ａに向かって延出した薄肉リブ８８ａで構成している。一方、一方引戸１ａ及び他方引戸１ｂの召し合せ框８０Ａに設けられる前側延出部８１ＡをＬ形枠８１ａで構成し、Ｌ形枠８１ａの先端屈曲部９１を、上記薄肉リブ８８ａの先端部分９２の移動軌跡Ｙよりも後方Ｂに突出させている。しかして薄肉リブ８８ａとＬ形枠８１ａの先端屈曲部９１とで遮蔽効果を高めながら移動軌跡Ｘ１（Ｘ２），Ｙ同士の干渉を防止できる利点に加えて、引戸１の閉状態で中央引戸１ｃの薄肉リブ８８ａが一方引戸１ａ及び他方引戸１ｂのＬ形枠８１ａの先端屈曲部９１に当たるようになる。つまり引戸１の閉状態では薄肉リブ８８ａとＬ形枠８１ａの先端屈曲部９１とが図２８のＳで示す範囲で当接する構造となるため、例えば、引戸１を勢い良く閉じた場合でも中央引戸１ｃが本来の停止位置よりも左右にずれてしまうのを防止でき、３枚引戸１の閉状態での外観性を良好に保つことができる利点もある。
【００７５】
図２９は遮蔽部８１の更に他例を示している。本例では、対向する一方の召し合せ框８０Ａの外側端をその後端８０ｂよりも前端８０ａ側を側方Ｑに延出させたテーパー状の前側延出部８１Ａを形成し、対向する他方の召し合せ框８０Ｂの外側端をその前端８０ａよりも後端８０ｂ側を上記前側延出部８１Ａとは反対方向に大きく延出させて逆テーパー状の後側延出部８１Ｂを形成している。しかして、テーパー形状の前側延出部８１Ａと逆テーパー形状の後側延出部８１Ｂとが図２９のＤで示す範囲で前後方向Ａ，Ｂにオーバーラップすることで遮蔽効果を高めながら、移動軌跡Ｘ，Ｙ同士の干渉を防止できるようになり、さらに加えて、前側延出部８１Ａを有する召し合せ框８０Ａと後側延出部８１Ｂを有する召し合せ框８０Ｂをそれぞれ簡易な形状に形成できる効果もある。
【００７６】
なお、本発明に係る引戸装置は、クローゼットの扉以外に各種の開閉扉の分野にも広く適用できるものである。
【図面の簡単な説明】
【００７７】
【図１】（ａ）は本発明の基本構成を示し、３枚引戸の閉状態で引戸の突き合わせ面間を遮蔽部にて遮蔽した状態を説明する概略平面図であり、（ｂ）は（ａ）の要部拡大図である。
【図２】同上の引戸装置の開閉動作を示し、（ａ）は３枚の引戸を面一に閉じた状態を示す上レール部分を下から見た概略下面図であり、（ｂ）は開閉途中の状態を示す上レール部分を下から見た概略下面図であり、（ｃ）は３枚の引戸を前後に重ねた全開状態を示す上レール部分を下から見た概略下面図である。
【図３】同上の引戸装置の開閉動作を示し、（ａ）は３枚の引戸を面一に閉じた状態を示す概略平断面図であり、（ｂ）は開閉途中の状態を示す概略平断面図であり、（ｃ）は３枚の引戸を前後に重ねた全開状態を示す概略平断面図である。
【図４】同上の引戸装置の全閉状態の上レールを省略した後方から見た斜視図である。
【図５】同上の引戸装置の開閉途中の状態の上レールを省略した後方から見た斜視図である。
【図６】同上の引戸装置の更に開閉途中の状態の上レールを省略した後方から見た斜視図である。
【図７】同上の引戸装置の３枚の引戸を前後に重ねた全開状態の上レールを省略した後方から見た斜視図である。
【図８】同上の上レールの下方から見た分解斜視図である。
【図９】（ａ）（ｂ）（ｃ）（ｄ）（ｅ）（ｆ）はそれぞれ補助レールブロック１８ａ〜１８ｆの下方から見た拡大斜視図である。
【図１０】（ａ）は上レールの下方から見た斜視図であり、（ｂ）は副上レールカバーを省略した状態の上レールの下から見た斜視図である。
【図１１】（ａ）は上レールの下方から見た下面図であり、（ｂ）は副上レールカバーを省略した状態の上レールの下から見た下面図であり、（ｃ）は３枚の引戸の全閉状態の上レール部分を下方から見た斜視図である。
【図１２】同上の図４のＡ部分の一部破断した拡大斜視図である。
【図１３】同上の図５のＢ部分の一部破断した拡大斜視図である。
【図１４】同上の図６のＣ部分の一部破断した拡大斜視図である。
【図１５】同上の図５のＤ部分の一部破断した拡大斜視図である。
【図１６】（ａ）（ｂ）（ｃ）は同上の右開きの操作順序を示す説明図である。
【図１７】（ａ）（ｂ）（ｃ）は同上の左開きの操作順序を示す説明図である。
【図１８】同上の上レールにおける補助レールブロックの位置と、３枚の引戸に設けたランナー、補助ローラの位置関係を示す説明図である。
【図１９】同上の補助レールブロック１８ｂ、補助レールブロック１８ｅと高さの低い補助ローラ及び高い補助ローラとの関係を示す説明図のための下方から見た下面図である。
【図２０】（ａ）は図１８のＥ−Ｅ線における高さの低い補助ローラと補助レールブロック１８ｂの関係を示す説明図であり、（ｂ）は図１８のＥ−Ｅ線における高さの高い補助ローラと補助レールブロック１８ｂの関係を示す説明図であり、（ｃ）は図１８のＦ−Ｆ線における高さの低い補助ローラと補助レールブロック１８ｅの関係を示す説明図であり、（ｄ）は図１８のＦ−Ｆ線における高さの高い補助ローラと補助レールブロック１８ｅの関係を示す説明図である。
【図２１】同上の補助レールブロック１８ｄ、補助レールブロック１８ｆと高さの低い補助ローラ及び高い補助ローラとの関係を示す説明図のための下方から見た下面図である。
【図２２】（ａ）は図２０のＧ−Ｇ線における高さの低い補助ローラと補助レールブロック１８ｄの関係を示す説明図であり、（ｂ）は図２０のＧ−Ｇ線における高さの高い補助ローラと補助レールブロック１８ｂの関係を示す説明図であり、（ｃ）は図２０のＨ−Ｈ線における高さの低い補助ローラと補助レールブロック１８ｆの関係を示す説明図であり、（ｄ）は図２０のＨ−Ｈ線における高さの高い補助ローラと補助レールブロック１８ｆの関係を示す説明図である。
【図２３】同上の連動機構の開操作時における係合突部が係合溝に導入される直前の状態を示し、（ａ）は平面図であり、（ｂ）は斜視図である。
【図２４】同上の連動機構の開操作時における係合突部が係合溝の突部挿入口に導入された状態を示し、（ａ）は平面図であり、（ｂ）は斜視図である。
【図２５】同上の連動機構の開操作時における係合突部が係合溝の前端部に導入された状態を示し、（ａ）は平面図であり、（ｂ）は斜視図である。
【図２６】同上の３枚引戸の閉状態で引戸の突き合わせ面間を遮蔽する遮蔽部の他例の基本構成の説明図である。
【図２７】本発明の実施形態の一例の説明図である。
【図２８】同上の遮蔽部の更に他例の説明図である。
【図２９】（ａ）は同上の遮蔽部の更に他例の説明図、（ｂ）は（ａ）の要部拡大図である。
【符号の説明】
【００７８】
１  引戸
１ａ  一方引戸
１ｂ  他方引戸
１ｃ  中央引戸
５  上レール
７  共用レール部
８  中央引戸用レール部
９  前側直進レール部
１０  後側直進レール部
１１  外側曲進レール部
１２  内側曲進レール部
１３  湾曲レール部
１９  誘導機構
２１  ランナー
２２  ランナー
２３  ランナー
８０  突き合わせ面
８０ａ  前端
８０ｂ  後端
８１  遮蔽部
８１Ａ  前側延出部
８１Ｂ  後側延出部
８２ａ  中間スペース
８２ｂ  前側スペース
８２ｃ  後側スペース
８５ｂ  後端角部
８６  湾曲面
８７  傾斜面
８８  隙間隠し用凸部
８９  逃がし凹所
Ｘ，Ｙ  移動軌跡
Ａ，Ｂ  前後方向
Ｑ  側方
【図１】
0004487905.tif 000002
【図２】
0004487905.tif 000003
【図３】
0004487905.tif 000004
【図４】
0004487905.tif 000005
【図５】
0004487905.tif 000006
【図６】
0004487905.tif 000007
【図７】
0004487905.tif 000008
【図８】
0004487905.tif 000009
【図９】
0004487905.tif 000010
【図１０】
0004487905.tif 000011
【図１１】
0004487905.tif 000012
【図１２】
0004487905.tif 000013
【図１３】
0004487905.tif 000014
【図１４】
0004487905.tif 000015
【図１５】
0004487905.tif 000016
【図１６】
0004487905.tif 000017
【図１７】
0004487905.tif 000018
【図１８】
0004487905.tif 000019
【図１９】
0004487905.tif 000020
【図２０】
0004487905.tif 000021
【図２１】
0004487905.tif 000022
【図２２】
0004487905.tif 000023
【図２３】
0004487905.tif 000024
【図２４】
0004487905.tif 000025
【図２５】
0004487905.tif 000026
【図２６】
0004487905.tif 000027
【図２７】
0004487905.tif 000028
【図２８】
0004487905.tif 000029
【図２９】
0004487905.tif 000030